(57)【特許請求の範囲】
【請求項１】
幅方向に複数の領域に分け、領域ごとにヒータと温度センサとを配設した棚板を備え、領域ごとに温度が設定温度となるように温度センサから入力された温度に基づいてヒータを通電制御するショーケースにおいて、
領域ごとに温度が設定温度に達するまでヒータをオンする一方、温度センサから入力された温度が設定温度に達した場合にヒータをオフし、温度センサから入力された温度が設定温度から所定の差分温度を超えて低下した場合にヒータをオンする通常モードと、
隣り合う一方の領域に配設したヒータと、前記一方の領域に隣り合う他方の領域に配設したヒータとを一定時間ごとに交互にオフするとともに、所定のシフトアップ温度だけ設定温度をシフトアップし、オフとなっている領域以外の領域は、温度センサから入力された温度が、シフトアップした設定温度に達するまでヒータをオンする一方、温度センサから入力された温度が、シフトアップした設定温度に達した場合にヒータをオフし、温度センサから入力された温度が、シフトアップした設定温度から所定の差分温度を超えて低下した場合にヒータをオンする省エネモードとを備えたことを特徴とするショーケース。
【請求項２】
前記隣り合う一方の領域は、前記棚板を幅方向に三分した左領域と右領域とであり、前記隣り合う他方の領域は、前記左領域と前記右領域とに挟まれた中央領域であることを特徴とする請求項１に記載のショーケース。
【発明の詳細な説明】
【技術分野】
【０００１】
本発明は、温めた商品を陳列するショーケースに関する。
【背景技術】
【０００２】
棚板を幅方向に複数の領域に分け、領域ごとにヒータと温度センサとを配設し、領域ごとに温度が設定温度となるようにヒータを通電制御するショーケースが提案されている。このショーケースは、領域ごとに温度が設定温度となるようにヒータを通電制御するので、きめ細かな温度制御が可能となる（たとえば、特許文献１参照）。
【先行技術文献】
【特許文献】
【０００３】
【特許文献１】特開２００７−２７５４８９号公報
【発明の概要】
【発明が解決しようとする課題】
【０００４】
しかしながら、上述したショーケースは、領域ごとに配設したヒータを独立して通電制御しているため、領域ごとに配設したヒータを同時に通電する場合には消費電力が増大し、消費電力を抑制できない。
【０００５】
本発明は、上記に鑑みてなされたものであって、消費電力を抑制できるショーケースを提供することを目的とする。
【課題を解決するための手段】
【０００６】
上述した課題を解決し、目的を達成するために、本発明は、幅方向に複数の領域に分け、領域ごとにヒータと温度センサとを配設した棚板を備え、領域ごとに温度が設定温度となるようにヒータを通電制御するショーケースにおいて、隣り合う一方の領域に配設したヒータと、前記一方の領域に隣り合う他方の領域に配設したヒータとを一定時間ごとに交互にオフする省エネ制御手段を備えたことを特徴とする。
【０００７】
また、本発明は、上述したショーケースにおいて、前記省エネ制御手段が、前記設定温度をシフトアップさせることを特徴とする。
【０００８】
また、本発明は、上述したショーケースにおいて、前記隣り合う一方の領域は、前記棚板を幅方向に三分した左領域と右領域とであり、前記隣り合う他方の領域は、前記左領域と前記右領域とに挟まれた中央領域であることを特徴とする。
【発明の効果】
【０００９】
本発明にかかるショーケースは、隣り合う一方の領域に配設したヒータと、一方の領域に隣り合う他方の領域に配設したヒータとを一定時間ごとに交互にオフするので、一方の領域に配設したヒータと他方の領域に配設したヒータとを同時に通電する事態が回避され、消費電力を抑制できる。
【図面の簡単な説明】
【００１０】
【図１】図１は、本発明の実施の形態であるショーケースを示す斜視図である。
【図２】図２は、図１に示したショーケースの側断面図である。
【図３】図３は、図１に示した棚板の内部構造を示す模式図である。
【図４】図４は、本発明の実施の形態であるショーケースの構成を示すブロック図である。
【図５】図５は、本発明の実施の形態であるショーケースの制御内容を示すタイムチャートである。
【発明を実施するための形態】
【００１１】
以下に、本発明にかかるショーケースの実施の形態を図面に基づいて詳細に説明する。なお、この実施の形態によりこの発明が限定されるものではない。
【００１２】
図１は、本発明の実施の形態であるショーケースを示す斜視図であり、図２は、図１に示したショーケースの側断面図である。ここで例示するショーケースは、コンビニエンスストアなどのスペースが限られた店舗において、冷やした商品（冷蔵商品）と温めた商品（温蔵商品）とを同時に陳列販売するもので、機械ケース１と、機械ケース１に搭載された本体ケース２とを備えて構成してある。
【００１３】
機械ケース１は、鋼板を適宜組み合わせることにより直方体の箱状に構成したもので、内部を機械室としている。機械室には、電装ボックス１０（図２参照）、フィルタ（図示せず）、圧縮機（図示せず）、凝縮器（熱交換器）（図示せず）が配設してある。なお、冷凍機を別途設置する冷凍機別置型の場合には、機械室にフィルタ、圧縮機、凝縮器（熱交換器）を配設しなくてもよい。
【００１４】
本体ケース２は、前面が開口した直方体の箱状に構成したもので、底壁部２１ａ、底壁部２１ａの後端縁から上方に向けて延在する背壁部２１ｂ、背壁部２１ｂの上端縁から前方に向けて延在する上壁部２１ｃ、底壁部２１ａよりも上方に位置する部位に底壁部２１ａから離隔する態様で設けた底面パネル２４ａ、底面パネル２４ａの後端縁から斜め上方に向けて延在した背面パネル２４ｂ、背面パネル２４ｂの上端から前方に向けて延在した天井パネル２４ｃ、側面を構成する一対の側板２３を有し、これらのうち、底面パネル２４ａ、背面パネル２４ｂ、天井パネル２４ｃおよび一対の側板２３によって囲まれる空間に商品陳列室３が画成される。
【００１５】
また、底壁部２１ａと底面パネル２４ａとの間には下部ダクト２５ａが画成され、背壁部２１ｂと背面パネル２４ｂとの間には背面ダクト２５ｂが画成される。さらに、上壁部２１ｃと天井パネル２４ｃとの間には天井ダクト２５ｃが画成される。これら、下部ダクト２５ａ、背面ダクト２５ｂ、天井ダクト２５ｃは、一連の通気通路を構成する。また、この通気通路は、天井パネル２４ｃの前端部に下方に向けて開口したハニカム構造の吹出口２４ｃ１を有する一方、底面パネル２４ａの前端部に上方に向けて開口した吸込口２４ａ１を有している。また、下部ダクト２５ａの内部に送風ファン２６を備えるとともに、背面ダクト２５ｂの内部に蒸発器２７（熱交換器）を備えている。
【００１６】
また、背面パネル２４ｂの両縁部に沿って棚柱（図示せず）が配設してある。棚柱は、棚板４を任意の位置に取り付けるためのもので、棚柱の前面には、所定のピッチで矩形の取付穴（図示せず）が形成してある。
【００１７】
棚板４は、両側面に別部材で構成されたブラケット４ａを備えている。ブラケット４ａは、棚柱に棚板４を取り付けるためのもので、棚柱に取り付けるための爪（図示せず）を後端部に有している。そして、この爪を任意の取付穴に係止させることにより、任意の位置に棚板４が取り付けられる。たとえば、図２に示すように、任意の位置に四つの棚板４が取り付けられる。
【００１８】
また、ブラケット４ａは仕切板５を装着するためのフランジ（図示せず）を下端部に有している。フランジは、ブラケット４ａの下端部を内側に折り曲げたものであり、一方のブラケットと他方のブラケットとの間に仕切板５が装着される。
【００１９】
仕切板５は、商品陳列室３を下方領域と上方領域とに仕切るためのものであって、任意の位置に取り付けた任意の棚板４に仕切板５が装着される。仕切板５は、棚板４の幅よりもやや狭い幅と、棚板４とほぼ同じ奥行きを有している。
【００２０】
また、仕切板５は、ダンパー６を備えている。ダンパー６は、仕切板５の後縁から突出可能であって、仕切板５の下面に設けられたレバー（図示せず）に連動して仕切板５の後縁から突出する。仕切板５から突出したダンパー６の下面は開口しており、仕切板５の内部に空気を取り込む。そして、仕切板５の内部に取り込んだ空気は、仕切板５の前縁から吐出する。
【００２１】
背面パネル２４ｂには、ダンパー挿通口（図示せず）が複数形成してある。ダンパー挿通口は、ダンパー６が挿通するための細長い矩形の開口であって、背面ダクト側に取り付けられた蓋体（図示せず）によって閉塞され、背面ダクト２５ｂにダンパーが突出すると、蓋体が押し開けられる。
【００２２】
そして、ダンパー６をダンパー挿通口から背面ダクト２５ｂに突出させると、ダンパー６が背面ダクト２５ｂを遮蔽するとともに背面ダクト２５ｂから仕切板５の内部に空気を取り込み、仕切板５の前縁から空気を吐出する。
【００２３】
したがって、仕切板５によって仕切られた商品陳列室３の下方領域は冷蔵室となり、冷やした商品（冷蔵商品）が陳列される。
【００２４】
図３は、図１に示した棚板の内部構造を示す模式図である。仕切板５によって仕切られた商品陳列室３の上方領域に取り付けた棚板４には、ヒータ４１（４１Ｌ，４１Ｃ，４１Ｒ）が配設してあり、仕切板５によって仕切られた商品陳列室３の上方領域は温蔵室となり温めた商品（温蔵商品）が陳列される。
【００２５】
図３に示すように、棚板４は、幅方向に、左領域４Ｌ、中央領域４Ｃ、右領域４Ｒの三つの領域に分けられ、領域ごとにヒータ４１（４１Ｌ，４１Ｃ，４１Ｒ）と温度センサ４２（４２Ｌ，４２Ｃ，４２Ｒ）とが配設してある。なお、以下の説明において、左領域４Ｌに配設したヒータ４１Ｌを左ヒータ４１Ｌ、中央領域４Ｃに配設したヒータ４１Ｃを中央ヒータ４１Ｃ、右領域４Ｒに配設したヒータ４１Ｒを右ヒータ４１Ｒと称する。また、左領域４Ｌに配設した温度センサ４２Ｌを左温度センサ４２Ｌ、中央領域４Ｃに配設した温度センサ４２Ｃを中央温度センサ４２Ｃ、右領域４Ｒに配設した温度センサ４２Ｒを右温度センサ４２Ｒと称する。
【００２６】
図４は、本発明の実施の形態であるショーケースの構成を示すブロック図である。図４に示すように、電装ボックス１０内には、コントローラボックス１１と、このコントローラボックス１１に接続され、棚板４の各領域に配設したヒータ４１（４１Ｌ，４１Ｃ，４１Ｒ）のオンオフ制御を行うリレーなどの開閉器１２とを備えている。そして、コントローラボックス１１は、開閉器１２を制御することにより、ヒータ４１Ｌ，４１Ｃ，４１Ｒを個別に通電制御（オン・オフ制御）する。また、棚板４の各領域に配設した温度センサ４２（４２Ｌ，４２Ｃ，４２Ｒ）は、コントローラボックス１１に接続してあり、各温度センサ４２Ｌ，４２Ｃ，４２Ｒからコントローラボックス１１に逐次温度情報が入力される。
【００２７】
コントローラボックス１１には、設定温度、差分温度、シフトアップ温度が記憶してあり、温度センサ４２から入力された温度に基づいて棚板４に配設したヒータ４１（４１Ｌ，４１Ｃ，４１Ｒ）を通常モードまたは省エネモードで制御する。
【００２８】
設定温度は、ヒータ４１を通電制御するための上限温度であり、コントローラボックス１１は、温度センサ４２から入力された温度が設定温度に達するまでヒータ４１をオンする一方、温度センサ４２から入力された温度が設定温度に達した場合にヒータ４１をオフする。設定温度は、任意に設定可能であり、たとえば、棚板４の上面に陳列した商品の商品温度が５５°Ｃとなるように設定される。
【００２９】
差分温度は、設定温度との差分であり、設定温度から差分温度を差し引いた温度が下限温度となる。コントローラボックス１１は、温度センサ４２から入力された温度が設定温度から差分温度を超えて低くなった場合にヒータ４１をオンにする。
【００３０】
シフトアップ温度は、棚板４に配設したヒータ４１（４１Ｌ，４１Ｃ，４１Ｒ）を省エネモードで制御する場合に、設定温度をシフトアップさせるための温度であり、設定温度シフトアップ温度分だけシフトアップされると、設定温度は、たとえば、棚板４の上面に陳列した商品の商品温度が６０°Ｃとなるように設定される。
【００３１】
通常モードは、領域ごとにヒータ４１を通電制御する運転モードであり、領域ごとに設定温度に達するまでヒータ４１をオンする一方、設定温度に達した場合にヒータ４１をオフする。そして、設定温度から差分温度を超えて温度が低下した場合にヒータ４１をオンにする。したがって、棚板全体がほぼ同一の温度で保たれることになるが、左ヒータ４１Ｌ，中央ヒータ４１Ｃ，右ヒータ４１Ｒが同時にオンする場合が生じる。
【００３２】
省エネモードは、左領域４Ｌに配設した左ヒータ４１Ｌおよび右領域４Ｒに配設した右ヒータ４１Ｒと、中央領域４Ｃに配設した中央ヒータ４１Ｃとを一定時間ごとに交互にオフするもので、棚板４に配設したヒータ４１を省エネモードで制御する場合には、シフトアップ温度分だけ設定温度がシフトアップされる。そして、オフとなっている領域以外の領域は、通常モードと同様に、設定温度に達するまでヒータ４１をオンする一方、設定温度に達した場合にヒータ４１をオフする。そして、設定温度から差分温度を超えて温度が低下した場合にヒータ４１をオンにする。したがって、棚板４は、左領域４Ｌおよび右領域４Ｒと中央領域４Ｃとが交互に温められることになるが、左ヒータ４１Ｌおよび右ヒータ４１Ｒと中央ヒータ４１Ｃとが同時にオンする場合が生じない。
【００３３】
図５は、本発明の実施の形態であるショーケースの制御内容を示すタイムチャートである。
【００３４】
図５に示すように、棚板４に配設したヒータ４１を通常モードで制御する場合には、領域ごとにヒータ４１を通電制御する。すなわち、温度センサ４２から入力された温度が設定温度（上限温度）を超えた場合にヒータ４１をオフする一方、温度センサ４２から入力された温度が設定温度から差分温度を超えて低下した場合にヒータ４１をオンする。
【００３５】
一方、棚板４に配設したヒータ４１を省エネモードで制御する場合には、まず、シフトアップ温度分だけ設定温度をシフトアップする。そして、左領域４Ｌに配設した左ヒータ４ｌＬおよび右領域４Ｒに配設した右ヒータ４１Ｒと、中央領域４Ｃに配設した中央ヒータ４１Ｃとを一定時間ごとに交互にオフする。そして、オフとなっている領域以外の領域は、通常モードと同様に、設定温度に達するまでヒータ４１をオンする一方、設定温度に達した場合にヒータ４１をオフする。そして、設定温度から差分温度を超えて温度が低下した場合にヒータ４１をオンする。
【００３６】
上述した実施の形態であるショーケースは、左領域４Ｌに配設した左ヒータ４１Ｌおよび右領域４Ｒに配設した右ヒータ４１Ｒと、中央領域４Ｃに配設した中央ヒータ４１Ｃとを一定時間ごとに交互にオフするので、左領域４Ｌに配設した左ヒータ４１Ｌおよび右領域４Ｒに配設した右ヒータ４１Ｒと、中央領域４Ｃに配設した中央ヒータ４１Ｃとが同時に通電する事態が回避され、消費電力を抑制できる。
【００３７】
また、省エネモードで運転する場合には、設定温度をシフトアップさせるので、設定温度が通常モードで運転する場合の設定温度よりも高くなり、ヒータ４１をオフしている領域に陳列した商品の商品温度を通常モードで制御した場合と同等に保つことができる。
【符号の説明】
【００３８】
１    機械ケース
１０    電装ボックス
１１    コントローラボックス
１２    開閉器
２    本体ケース
３    商品陳列室
４    棚板
４Ｌ    左領域
４Ｃ    中央領域
４Ｒ    右領域
４１    ヒータ
４ｌＬ    左ヒータ
４１Ｃ    中央ヒータ
４１Ｒ    右ヒータ
４２    温度センサ
４２Ｌ    左温度センサ
４２Ｃ    中央温度センサ
４２Ｒ    右温度センサ
５    仕切板
６    ダンパー
【図１】
0005593878.tif 000002
【図２】
0005593878.tif 000003
【図３】
0005593878.tif 000004
【図４】
0005593878.tif 000005
【図５】
0005593878.tif 000006